(57)【要約】【課題】左右のサイドフレームを離間した状態で展開位置となって使用に供し、左右のサイドフレームを中央に接近した状態で折畳位置となって収納することができるようにした折畳式ハンドカートに関する。【解決手段】一対の折畳構成部材の端部が左右のサイドフレーム側にそれぞれ枢着され、他方の先端側は前記展開位置で相互に重なり合う位置まで延びる重合片部が形成されており、一方の折畳構成部材の重合片部には作動軸が突設され、他方の折畳構成部材の重合片部には前記作動軸が前記展開位置から折畳位置まで変位可能に拘束する長孔が穿設されていることを特徴とする。【選択図】図１
2019038433.tif 000002
【特許請求の範囲】
【請求項１】
左右一対のサイドフレームと、各サイドフレームの前後の下部に取り付けられた合計４つのキャスターと、左右のサイドフレーム間に取り付けられてサイドフレームの横幅を広げる展開位置と狭める折畳位置とに平行移動させる平行リンク部材と、前記左右のサイドフレーム間に横架されて折畳可能な左右一対の折畳構成部材とからなっており、
該一対の折畳構成部材の端部が左右のサイドフレーム側にそれぞれ枢着され、他方の先端側は前記展開位置で相互に重なり合う位置まで延びる重合片部が形成されており、一方の折畳構成部材の重合片部には作動軸が突設され、他方の折畳構成部材の重合片部には前記作動軸が前記展開位置から折畳位置まで変位可能に拘束する長孔が穿設されていることを特徴とする折畳式ハンドカート。
【請求項２】
長孔を有する折畳構成部材には、展開姿勢で、作動軸を有する折畳構成部材の重合片部の底面を支持する支承片が突設されていることを特徴とする請求項１に記載の折畳式ハンドカート。
【請求項３】
折畳構成部材が、左右一対のサイドフレームの前後に配置されており、前後に対峙する折畳構成部材間に底面構成部材が連結されていることを特徴とする請求項１または２に記載の折畳式ハンドカート。
【請求項４】
折畳構成部材の展開位置で枢軸が長孔の先端側に嵌合し、前記長孔は基端側が下降傾斜しており、折畳構成部材の折畳位置で枢軸が長孔の基端側に嵌合し、前記長孔は先端側が上向きに傾斜してなることを特徴とする請求項１に記載の折畳式ハンドカート。
【発明の詳細な説明】
【技術分野】
【０００１】
本発明は、簡単な構造で折畳が容易な折畳式ハンドカートに関するものである。
【背景技術】
【０００２】
この種の折畳式ハンドカートとして、例えば、特開２０１６−８８１９３号の運搬車及びフレーム構造では、一対の前部キャスター、一対の後部キャスター、及び、前記前部キャスターと前記後部キャスターとの間で着設された一対の車輪とを備えた、前後方向に折り畳み可能な運搬車であって、前側及び後側で立設され、前記前部キャスター及び前記後部キャスターをそれぞれ支持する縦フレームと、前記縦フレームの間で略垂直方向に延在し、前記車輪を支持する支持フレームと、前記各縦フレームと前記支持フレームとの間に回動可能に架設されたベースフレームと、を備え、前記支持フレームは、前記車輪が着設された内挿部材と、前記ベースフレームが回動可能に連結されるとともに前記内挿部材に対してスライド可能に外挿された外挿部材とを備えた構成からなっている。
そのため、縦フレームを支持フレームに対して近接方向に折り畳むべく、ベースフレームを支持フレームに対して回動させたとき、支持フレームの内挿部材をその場に維持したまま外挿部材のみを上方にスライドさせることができる。そして、車輪を接地させた状態で前部キャスター及び後部キャスターを車輪に隣接配置させて、運搬車を前後方向に折り畳むことができる。
しかし、上記構成は、前後のキャスターの中央に大径の車輪を設け、この車輪が設置させたまま運搬車のフレームを中央の支持フレームに向かって前後方向に折り畳むことができるが、構造が複雑となる。また前後のキャスターだけで運搬車の横幅となる左右方向に折り畳むことはできなかった。
【先行技術文献】
【特許文献】
【０００３】
【特許文献１】特開２０１６−８８１９３号公報
【発明の概要】
【発明が解決しようとする課題】
【０００４】
この発明が解決しようとする問題点は、前後の四隅にキャスターを有するフレーム構造のハンドカートを簡単な構成で左右側面が接近する方向に折畳むことができる折畳式ハンドカートを提供することにある。
【課題を解決するための手段】
【０００５】
上記課題を達成するために、請求項１の発明では、
左右一対のサイドフレームと、各サイドフレームの前後の下部に取り付けられた合計４つのキャスターと、左右のサイドフレーム間に取り付けられてサイドフレームの横幅を広げる展開位置と狭める折畳位置とに平行移動させる平行リンク部材と、前記左右のサイドフレーム間に横架されて折畳可能な左右一対の折畳構成部材とからなっており、
該一対の折畳構成部材の端部が左右のサイドフレーム側にそれぞれ枢着され、他方の先端側は前記展開位置で相互に重なり合う位置まで延びる重合片部が形成されており、一方の折畳構成部材の重合片部には作動軸が突設され、他方の折畳構成部材の重合片部には前記作動軸が前記展開位置から折畳位置まで変位可能に拘束する長孔が穿設されていることを特徴とする。
請求項２の発明では、
長孔を有する折畳構成部材には、展開姿勢で、作動軸を有する折畳構成部材の重合片部の底面を支持する支承片が突設されていることを特徴とする。
請求項３の発明では、
長孔が、展開姿勢で作動軸が長孔の先端側で嵌合し、折畳姿勢で長孔の基端側で嵌合するように展開姿勢において基端側が下降傾斜するように形成されていることを特徴とする。
【発明の効果】
【０００６】
本発明の折畳式ハンドカートは、折畳ないし展開作動する一対の折畳構成部材の一方の折畳構成部材の重合片部には作動軸が突設され、他方の折畳構成部材の重合片部には前記作動軸が前記展開位置から折畳位置まで変位可能に拘束する長孔が穿設されており、折畳時には作動軸を長孔に沿って上昇させることで一対の折畳構成部材が連動して折畳方向に折り畳まれ、左右のサイドフレームが接近して収納状態の折畳姿勢になり、逆に作動軸を長孔に沿って下降させることで一対の折畳構成部材が展開方向に連動し、左右のサイドフレームが離間して使用状態の展開姿勢となる。
前記長孔を有する折畳構成部材には、展開姿勢で、作動軸を有する折畳構成部材の重合片部の底面を支持する支承片を突設しておけば、簡単な構成で展開時に折畳構成部材のロックを行うこともできる。
【図面の簡単な説明】
【０００７】
【図１】折畳式ハンドカートの展開位置の斜視図である。
【図２】図１の背面図である。
【図３】僅かに折畳方向に変位させた状態の斜視図である。
【図４】図３の正面図である。
【図５】更に折畳方向に変位させた状態の斜視図である。
【図６】図５の正面図である。
【図７】折畳式ハンドカートの折畳位置の斜視図である。
【図８】図６の正面図である。
【図９】図６の側面図である。
【図１０】一対の折畳構成部材の分離した状態の図である。
【図１１】（ａ）図１の展開位置での一対の折畳構成部材の拡大図、（ｂ）図３の位置での一対の折畳構成部材の拡大図、（ｃ）図５の位置での一対の折畳構成部材の拡大図、（ｄ）図７の位置での一対の折畳構成部材の拡大図である。
【発明を実施するための形態】
【０００８】
以下にこの発明の折畳式ハンドカートをショッピングカートに適用した場合の好適実施例について説明する。
【実施例１】
【０００９】
本実施例の折畳式ハンドカート１は、左右一対のサイドフレーム２、２’と、各サイドフレーム２、２’の前後の下部に取り付けられた合計４つのキャスター３と、左右のサイドフレーム２，２’間に取り付けられてサイドフレーム２，２’間の横幅を広げて使用姿勢となる展開位置（図１、図２参照）と横幅方向に狭めて収納姿勢となる折畳位置（図７〜図９）とに平行移動させる平行リンク部材４と、前記左右のサイドフレーム２，２’間に横架されて折畳可能な左右一対の折畳構成部材５、６とからなっている。
【００１０】
［サイドフレーム］
本実施例では左右のサイドフレーム２，２’は同一構造からなっており、他方のサイドフレーム２’の同一構造には同一符号に「’」を付して説明を省略する。
即ち、サイドフレーム２は、上部にハンドル杆Ｈを有し、下部にキャスター３を取り付けた上下に延びる第１縦枠２１と、該第１縦枠２１と前後に対峙し下部にキャスター３を取り付けた第２縦枠２２と、該第２縦枠２２と前記第１縦枠２１間に前後に掛け渡された上枠２３とを有している。
【００１１】
左右一対のサイドフレーム２，２’間には、サイドフレーム２、２’を離間させた展開位置と接近させた折畳位置とに変位させる平行リンク部材４と、サイドフレーム２、２’間に掛け渡されて、前記展開位置で水平となり、折畳位置で倒立Ｖ字状に折れ曲がる左右一対の折畳構成部材５，６とを介設している。
【００１２】
［平行リンク部材］
本実施例で平行リンク部材４は、前記左右一対のサイドフレーム２、２’にＸ字状に掛け渡されて、両端が前記サイドフレーム２、２’に枢着Ｐ１、Ｐ２（Ｐ１’、Ｐ２’）され、中央の交差個所が枢軸Ｐ３により枢着されている（図１参照）。
この平行リンク部材４は、左右のサイドプレート２、２’を縦向きで中央に向かって平行移動させるリンク構造からなっていればよく、図示例のリンク構造に限らない。
【００１３】
［折畳構成部材］
折畳式ハンドカート１の折畳乃至展開の作動は、左右のサイドフレーム２，２’間に横架された左右一対のプレート状の折畳構成部材５、６によって行われる。
本実施例では、一方（図中左側）の折畳構成部材５の端部が一方（図中左側）のサイドフレーム２に枢着Ｐ１１されており、他方（図中右側）の折畳構成部材６の端部は、他方（図中右側）のサイドフレーム２’に枢着Ｐ１２されている。
【００１４】
各折畳構成部材５，６のそれぞれの先端側は、折畳式ハンドカート１の展開姿勢で水平に延びており、相互に前後に重なり合う重合片部５ａ、６ａを有している（図１０参照）。
そして、一方の重合片部５ａは、先端の下部が縦方向に幅広く形成され、その幅広個所５ｂに先端（折畳式ハンドカート１の中央）から基端（第１縦枠２１）に向かって下降傾斜する長孔７が穿設されている。
【００１５】
また、前記幅広個所５ｂに隣接した重合片部５ａの下端には、前記展開位置でストッパ片８が、重合する他方の重合片部６ａの下端を支承するように外方へ突出している。
他方の重合片部６ａには、前記長孔７に嵌挿され、長孔７に沿って摺動可能な枢軸９が固定されており、先端が長孔７方向に向かって突出しており長孔７に沿って摺動可能に嵌合する。
【００１６】
本実施例では、棚板１０は、サイドフレーム２（２’）の前後に対峙する第１縦枠２１（２１’）と第２縦枠２２（２２’）の間に、杆状の側枠２４（２４’）が水平に横架して両端は固定されている。
上記一方の側枠２４には前記一方の折畳構成部材５の基端が枢着Ｐ１１されており、他方の側枠２４’には前記他方の折畳構成部材６の基端Ｐ１２が枢着されている。
【００１７】
［棚板］
本実施例では、前記折畳構成部材５，６は、棚板１０の前後の枠部材を兼用しているが、この発明では棚板１０とは別体であってもよい・
この棚板１０の前後の枠部材を兼ねる折畳構成部材５，６は、側枠２４、２４’の前方側と後方側にセットで取り付けられており、対向する折畳構成部材５，５と６、６間に前後方向に延びる底面構成部材の一例としての底枠１１が固定されており、前後の折畳構成部材５と５，６と６とを連動可能に連結している。
【００１８】
この底枠１１は、折畳構成部材５，６の折畳動作の障害とならないように重合片部５ａ，６ａには配置されない。
上記底枠は図示例では杆材からなっているが、板材からなって前後の折畳構成部材５または６の底面を塞ぐものでもよい。
また、本実施例では、上記棚板１０は、同一構造で、上下２段に設けられているが、一段でも複数段でもよい。
【００１９】
上記構成からなっているので、図１、図２の折畳式ハンドカート１の展開位置では、図１１（ａ）に示すように、折畳構成部材５，６は水平姿勢となっており、他方の折畳構成部材６の重合片部６ａの先端側が一方の折畳構成部材５のストッパ片８によって下端が支持され、また、他方の折畳構成部材６の枢軸９は一方の折畳構成部材５の長孔７の先端側に嵌挿されてロック状態となり、水平姿勢が維持され、平行リンク部材４も拘束されてサイドプレート２、２’も固定位置に保持されている。
【００２０】
折畳に際しては、図３、図４、図１１（ｂ）に示すように、前記ストッパ片８を僅かに上に上げると前記ロック状態が解除され、折畳構成部材５，６が僅かに屈曲する。
これに伴い、平行リンク部材４を介して、左右のサイドプレート２、２’が平行を維持しながら相互に中央に向かって変位する。
【００２１】
更に、サイドプレート２、２’を中央寄りに接近させると、図５、図６、図１１（ｃ）に示すように、前記折畳構成部材５，６は更に傾斜角度を大きくして山形に屈曲し、枢軸９は長孔７に沿って下方へ摺動変位する。
【００２２】
そして、サイドプレート２、２’は平行リンク部材４を介して更に接近させると、図７、図８、図１１（ｄ）に示すように、前記折畳構成部材５，６は更に傾斜角度を大きくして屈曲し、枢軸９は長孔７に沿って下端側まで摺動変位する。
枢軸９に対して長孔７は枢軸９の真上に延びる位置を超えて反対側に傾斜した状態に変位するので、折畳構成部材５，６は展開方向に変位しにくくなり、折畳式ハンドカート１は折畳位置となる。
【００２３】
この発明は、上記実施例に限らず、例えば平行リンク部材は、左右のサイドプレート間にＶ字状に介設される一対のリンク部材でもよいし、その他公知の平行リンク機構を用いることができる。
また、ハンドルは第１縦枠、第２縦枠に個別に設けたが、両縦枠間に掛け渡されて、使用時には展開し、収納時には折畳まれる構造であってもよい。
また、前記実施例ではストッパ片を一方の折畳構成部材に設けたが、展開姿勢で一対の折畳構成部の基端側の下降を拘束するように少なくとも一方の第１縦枠に設けてもよい。
あるいは、展開姿勢の時、枢軸は傾斜する長孔の上端で衝合し、折畳姿勢の時、枢軸は長孔の下端で衝合するので、ストッパとしても機能しているので、ストッパ片を設けなくてもい。
その他、要するにこの発明の要旨を変更しない範囲で種々設計変更しうること勿論である。
【符号の説明】
【００２４】
１    折畳式ハンドカート
２、２’  サイドフレーム
３    キャスター
４    平行リンク部材
５，６  左右一対の折畳構成部材
５ａ，６ａ  重合片部
５ｂ  幅広個所
７    長孔
８    ストッパ片
９    枢軸
１０    棚板
１１    底面構成部材の一例としての底枠
２１    第１縦枠
２２    第２縦枠
２３    上枠
２４    側枠
【図１】
2019038433.tif 000003
【図２】
2019038433.tif 000004
【図３】
2019038433.tif 000005
【図４】
2019038433.tif 000006
【図５】
2019038433.tif 000007
【図６】
2019038433.tif 000008
【図７】
2019038433.tif 000009
【図８】
2019038433.tif 000010
【図９】
2019038433.tif 000011
【図１０】
2019038433.tif 000012
【図１１】
2019038433.tif 000013